(57)【要約】【課題】フィルタープレスの一対のろ布を開いて脱水ケーキを排出する際に、給液板の掛止部に負荷を掛けないフィルタープレス用ろ布を提供する。【解決手段】ろ板間に吊設した一対のろ布間に給液板を狭持し、ろ布間に形成したろ過室に原液を供給して脱水するフィルタープレス用ろ布において、給液板を収納して保持する袋状のポケットを、一対のろ布間でろ布に連結したことで、給液板を容易に着脱でき、脱水ケーキを排出するためにろ布を開いても、ポケットが袋状のためろ布の連結部に負荷が掛かりにくい。【選択図】図７
2018015732.tif 000002
【特許請求の範囲】
【請求項１】
ろ板（１０、１０）間に吊設した一対のろ布（１、１）間に給液板（８）を狭持し、ろ布（１、１）間に形成したろ過室（１４）に原液を供給して脱水するフィルタープレス用ろ布において、
給液板（８）を収納して保持する袋状のポケット（１５）を、一対のろ布（１、１）間でろ布（１）に連結した
ことを特徴とするフィルタープレス用ろ布。
【請求項２】
前記ポケット（１５）の側面に給液板（８）の原液通路（７）と対応する側孔（１６）と、
底面に給液板（８）の給液路（９）と対応する底孔（１７）と、を備え、
ろ布（１）の通孔（６）と原液通路（７）、側孔（１６）が連通する
ことを特徴とする請求項１に記載のフィルタープレス用ろ布。
【請求項３】
前記ポケット（１５）の上端縁（１８）は、
一対のろ布（１、１）の一方に連結する連結部（１９ａ）と、一対のろ布（１、１）の他方に連結する連結部（１９ｂ）を有する
ことを特徴とする請求項１又は２に記載のフィルタープレス用ろ布。
【請求項４】
前記連結部（１９ａ、１９ｂ）の両側方に、一対のろ布（１、１）と離接自在なマチ（２０）を形成する
ことを特徴とする請求項３に記載のフィルタープレス用ろ布。
【発明の詳細な説明】
【技術分野】
【０００１】
本発明は、フィルタープレスに吊設した一対のろ布間に形成するろ過室に原液を供給するための給液板の着脱構造に関し、特に、給液板を容易に着脱可能な構造を有するフィルタープレス用ろ布に関する。
【背景技術】
【０００２】
フィルタープレスは、開閉自在に並列した複数のろ板に一対のろ布を吊設し、ろ布に止着した給液板から一対のろ布間で形成するろ過室に原液を圧入し、ろ布で固液分離を行っている。
従来のフィルタープレスの給液板は、例えば、ろ板と圧搾ろ板の間に一対のろ布を昇降自在に吊設し、それぞれのろ布に押え板をボルトで締付けてボルトの頭部を付き合わせ、給液板をろ布に止着する構造のフィルタープレスが特許文献１に開示されている。
【０００３】
また、取付バンドを供給路の内面に沿って配設し、その両端部が給液板の供給路の左右端部に設けられた切欠部に沿ってそれぞれ折り曲げられ、その折曲げ部をろ布の一部に係合させることで、給液板をろ布に取り付ける技術が特許文献２に記載されている。
【０００４】
そして、一対のろ布間の給液板の装着位置で、給液板の左右に沿ってろ布を合着し、給液板の下端で一対のろ布を連結する掛止部材を設け、合着部と掛止部材で囲まれた装着位置に給液板を配設することで、給液板が装着位置から左右、下方にずれることなく装着することが可能なフィルタープレスが特許文献３に記載されている。
【先行技術文献】
【特許文献】
【０００５】
【特許文献１】実公平７−５８４７号公報
【特許文献２】実用新案登録第２５６５９５５号公報
【特許文献３】特開２０１５−０６６５４０号公報
【発明の概要】
【発明が解決しようとする課題】
【０００６】
従来、フィルタープレスに用いるろ布は、ろ過操作を繰り返し行なうと定期的に交換が必要となる消耗品である。その際、一対のろ布間に原液を供給する給液板は古いろ布から取り外して新しいろ布に取り付ける。
【０００７】
特許文献１のようにボルトやピンを使用するものは、ボルトやピンの取り付けに時間を要し、ネジ部の緩みが発生した場合には、ボルトの頭部が飛び出すことで、ろ板の締付け時にろ板、ダイアフラム、パッキン、あるいはろ布を傷つける恐れがある。また、給液板は原液に含まれる繊維などによる閉塞現象も起こりやすく、その際にはまずフィルタープレス本体からろ布間に吊設するろ布を取り外し、ボルトやピンを取り外して給液板の点検・掃除を行う必要もあり、メンテナンスが煩雑であった。
【０００８】
特許文献２は、ボルトやピンを用いずに給液板をろ布に止着しているが、給液板の給液孔上部を取付バンドの圧着力のみでろ布間に止着しているため、圧搾・ケーキ剥離を繰り返すと供給板が下方へずれ、そのずれ量が大きくなると下方へ脱落する可能性があった。
【０００９】
特許文献３は、一対のろ布に連結した掛止部材に給液板を掛止し、給液板の両側方で一対のろ布を連結して給液板を取り付けている。この場合、脱水ケーキを排出する際にろ布を開くと、掛止部材が一対のろ布の開きを制限し、給液板近傍に脱水ケーキが残留してしまう。また、給液板近傍までろ布を開こうとすると、連結部に応力が集中し、破損してしまう。
【００１０】
本発明は、給液板の取り外しを容易にするとともに、脱水ケーキ排出時に脱水ケーキを残留させず、さらには給液板の取り付け構造にかかる負荷を軽減するフィルタープレスのろ布を提供する。
【課題を解決するための手段】
【００１１】
ろ板間に吊設した一対のろ布間に給液板を狭持し、ろ布間に形成したろ過室に原液を供給して脱水するフィルタープレスのろ布において、給液板を収納して保持する袋状のポケットを、一対のろ布間でろ布に連結したことで、給液板を容易に着脱でき、脱水ケーキを排出するためにろ布を開いても、ポケットが袋状のためろ布の連結部に負荷が掛かりにくい。
【００１２】
前記ポケットの側面に給液板の原液通路と対応する側孔と、底面に給液板の給液路と対応する底孔と、を備え、ろ布の通孔と原液通路、側孔が連通することで、ポケットに収納した給液板を通してろ過室に原液を供給することができる。
【００１３】
前記ポケットの上端縁は、一対のろ布の一方に連結する連結部と、一対のろ布の他方に連結する連結部を有することで、脱水ケーキ排出時に一対のろ布を反転させ、連結部まで開くことができるため、脱水ケーキを容易に排出できる。また、一対のろ布を大きく開くことができるため、ろ布の反転に余裕があり、ポケットとろ布の連結部に負荷がかかりにくい。
【００１４】
前記連結部の両側方に、一対のろ布と離接自在なマチを形成することで、ポケットが開きやすく給液板を容易に着脱できる。また、一対のろ布の開き幅が大きくなる。
【発明の効果】
【００１５】
本発明は、止め具を使用せずにろ布に給液板を装着するため、止め具がろ布に接触してろ布が破損することはない。また、止め具を使用しないため、ろ布が収縮した際に連結部で損傷することもない。
給液板はろ布に連結したポケットに収納して装着するため、取り外しが容易となり、フィルタープレスからろ布を取り外すことなく給液板のみ交換することができる。
給液板のポケットの上端縁をろ布に連結することで、一対のろ布間で形成した脱水ケーキを排出する際に、一対のろ布を大きく開くことが可能で、脱水ケーキを排出しやすくなる。そして、ろ布は連結部近傍まで反転させることができるため、給液板の下方で形成される脱水ケーキを排出する際には、ろ布の反転に余裕があり、連結部に負荷がかかりにくい。
【図面の簡単な説明】
【００１６】
【図１】本発明に係るフィルタープレスの給液板を止着した一対のろ布の斜視図である。
【図２】同じく、フィルタープレスの要部側面図である。
【図３】同じく、フィルタープレスの給液板の平面図と側面図である。
【図４】同じく、フィルタープレスの一対のろ布間に設けるポケットの斜視図である。
【図５】同じく、フィルタープレスのろ布の正面図である。
【図６】同じく、フィルタープレスのろ布の縦断面図である。
【図７】図５のろ布のＡ−Ａ断面図である。
【図８】本発明の他の実施例１に係るろ布の断面斜視図である。
【図９】本発明の他の実施例２に係るフィルタープレスのろ布の正面図である。
【発明を実施するための形態】
【００１７】
本発明の実施例を図面に基づき詳述すると、図１は本発明に係るフィルタープレスの給液板を止着した一対のろ布の斜視図である。
一対のろ布１の上端を合着して袋部２を形成するとともに、ろ布１の下端にもそれぞれ袋部３を形成する。上端の袋部２と下端の袋部３にそれぞれ上部ろ布芯金４と下部ろ布芯金５を挿通する。ろ布１の上部中央に開口した通孔６に給液板８の原液通路７を合わせて、一対のろ布１、１間に給液板８を狭持している。給液板８の原液通路７から分岐してろ布１、１間に形成したろ過室に原液を供給する給液路９を設けている。
【００１８】
図２は本発明に係るフィルタープレスの要部側面図である。図１に示す一対のろ布１は開閉自在に並列したろ板１０、１０間に配設しており、ろ布１の上部ろ布芯金２の両端に連結した駆動チエーン１１をろ板１０の肩部に支架したスプロケット１２に掛け回している。
【００１９】
ろ板１０の前後に吊設したろ布１の下端部をろ板１０の下部から位置をずらせて垂下したリターンロール１３にそれぞれ掛け回し、ろ布１０の下端に挿通した下部ろ布芯金５の両端をそれぞれ前後の駆動チエーン１１の他端に連結して、ろ布１をシーソー状に昇降可能としている。並列したろ板１０を閉板した時に、ろ布１、１間に設けた給液板８を前後のろ板１０に挟持させ、ろ板１０のろ過床に張設した一対のろ布１、１間にろ過室１４を形成している。ろ板１０に形成した原液供給路に給液板８の原液通路７を連通させて、給液板８の給液路９からろ過室１４に原液を圧入し、ろ布１で固液分離を行なう。
【００２０】
図３は本発明に係るフィルタープレスの給液板の平面図と側面図である。
給液板８の中央やや上方には原液通路７が前後の面にわたって貫通しており、原液通路７から下方に分岐して給液路９を設けている。給液路９は給液板８の中央内部を縦断して下端まで貫通している。
給液板８の底面は、接触したろ布１が破損しないようにテーパ状に構成している。
【００２１】
図４は本発明に係るフィルタープレスの一対のろ布間に設けるポケットの斜視図である。本発明では、一対のろ布１、１間に給液板８を配置するため、給液板８を収納するポケット１５を用いる。
ポケット１５は、ＰＰ等の合成繊維を編み込んで袋状に形成したもので、一対のろ布１、１間に配置する。ポケット１５上部の開口から内部に給液板８を挿入し、ポケット１５底面で支持することで、ろ布１、１間に給液板８を保持する。
ポケット１５の側面中央には、給液板８の原液通路７と対応する側孔１６が設けられ、給液板８をポケット１５に挿入した際には、原液通路７とろ布１の通孔６、ポケット１５の側孔１６が連通する。
【００２２】
ポケット１５の底面には、給液路９に対応する底孔１７が設けられ、給液板８をポケット１５に挿入した際には、給液路９とポケット１５の底穴１７が連通する。よって、フィルタープレスに供給された原液は、原液通路７から給液路９を通り、ろ布１、１間のろ過室１４へ供給される。
【００２３】
ポケット１５の幅は、給液板８の原液通路７とろ布１の通孔６が左右にずれない程度の大きさに適宜設定し、同様にポケット１５の深さも、給液板８を挿入した際に原液通路７と通孔６が連通する深さに適宜設定する。
ポケット１５は、底部又は側面を適宜縫合して袋状に形成する。
【００２４】
図５は本発明に係るフィルタープレスのろ布の平面図である。また、図６は本発明に係るフィルタープレスのろ布の縦断面図である。
一対のろ布１、１間で、ろ布１に開口する通孔６と、ポケット１５の側孔１６が連通する位置にポケット１５を配置し、ろ布１とポケット１５を連結する。ろ布１、１間にポケット１５を連結することで、給液板８の着脱が容易となる。
また、ポケット１５は上端縁１８をろ布３と連結し、吊り下げるようにしてポケット１５を配置する。一対のろ布１の一方と連結するポケット１５の上端縁１８を連結部１９ａ、一対のろ布１、１の他方と連結するポケット１５の上端縁１８を連結部１９ｂとする。
【００２５】
ポケット１５の上端縁１８とろ布１を連結して吊り下げることで、ポケット１５の下部はろ布１と固着せず、脱水ケーキを排出する際には、ろ布１をポケット１５の連結部１９ａ、１９ｂまで開いて排出することができる。従って、一対のろ布１、１を給液板８の高さまで開くことが可能で、脱水ケーキを容易に剥離することができる。一対のろ１、１布を給液板８の下方まで開くように脱水ケーキを排出すると、ポケット１５とろ布１の連結部１９ａ、１９ｂに大きな負荷をかけることはない。
ポケット１５の側面及び底面には、収納した給液板８を支持できれば、切り欠きを形成してもよい。切り欠きからポケット１５内に堆積した原液が排出され、ろ板のシール不良を防止できる。
【００２６】
図７は図５のろ布のＡ−Ａ断面斜視図である。
一対のろ布１、１間に設けたポケット１５は、上端縁１８の連結部１９ａを一方のろ布１に、連結部１９ｂを他方のろ布１に連結している。
図７では、ポケット１５の上端縁１８の全周が、何れか一方のろ布１と連結している。ポケット１５の上端縁１８より下方の側面は、ろ布１と離接自在に構成する。
従って、脱水ケーキ排出時に、ろ布１は連結部１９ａ、１９ｂ近傍まで反転させることができるため、給液板８の下方で形成される脱水ケーキを排出する際には、ろ布１の反転に余裕があり、連結部１９ａ、１９ｂに負荷がかかりにくい。
なお、本実施例では、ポケット１５の上端縁１８が一対のろ布１、１の両方に連結されているが、何れか一方のろ布１に上端縁１８を連結すればその効果が得られる。
【００２７】
図８は本発明の他の実施例１に係るろ布の断面斜視図である。
図８は、図５のＡ−Ａ断面斜視図で、図７とは異なる実施形態を示す。ポケット１５の上端縁１８は連結部１９ａ、１９ｂの両側方を連結せずに、一対のろ布１、１と離接自在な構成としている。すなわち、ポケット１５の上端縁１８にマチ２０を設け、ろ布１の開閉方向に開きやすくしている。マチ２０を設けることでポケット１５を大きく開くことができるため、給液板８が容易に着脱できるようになる。また、一対のろ布１、１もマチ２０の分だけ大きく開くことができる。マチ２０の長さを給液板８の厚みに合わせると、給液板８を収納した際にズレが生じにくくなる。
【００２８】
図９は本発明の他の実施例２に係るフィルタープレスのろ布の正面図である。
他の実施例１における一対のろ布１、１間に設けるポケット１５は、給液板８と同様の形状で、上端縁１８を円弧状に形成する。ポケット１５とろ布１は、上端縁１８の最も高い位置と、上端縁１８の最も低い位置の一部を連結する。もしくは、円弧状の上端縁１８に沿って、上端縁１８全部を連結してもよい。
このように、給液板８と同様の形状の上端縁１８を円弧状に形成したポケット１５を用いることで、脱水のためにろ板１０を閉板した際に、ろ板１０と給液板８の隙間から原液が漏れるのを防止する。
また、上端縁１８はろ布と連結され、連結部１９ａ、１９ｂの下端の高さからポケット１５を開くことができるため、ポケット１５に給液板８を挿入する際には、給液板８の上部が連結部１９ａ、１９ｂの下端から上方に突出し、給液板８の着脱が容易に行える。
【００２９】
このように、給液板８を収納するポケット１５をろ布１に連結するだけで、止め具を使用せずに給液板８をろ布１に着脱可能とするため、ポケット１５の形状や連結位置などは、フィルタープレスの仕様に合わせて適宜することができる。
【産業上の利用可能性】
【００３０】
本発明に係るフィルタープレス用ろ布は、一対のろ布間に給液板を収納するポケットを備えることで、給液板を容易に着脱可能とし、止め具を使用しないためろ布への負荷が低減している。従って、上水汚泥、下水汚泥等の大容量の汚泥を処理する多室型のフィルタープレス、および金属等を腐食させる原液を含有する産業排水を処理するフィルタープレスに最適なろ布である。
【符号の説明】
【００３１】
１  ろ布
６  通孔
７  原液流路
８  給液板
９  給液路
１０  ろ板
１４  ろ過室
１５  ポケット
１６  側孔
１７  底孔
１８  上端縁
１９ａ、１９ｂ  連結部
２０  マチ
【図１】
2018015732.tif 000003
【図２】
2018015732.tif 000004
【図３】
2018015732.tif 000005
【図４】
2018015732.tif 000006
【図５】
2018015732.tif 000007
【図６】
2018015732.tif 000008
【図７】
2018015732.tif 000009
【図８】
2018015732.tif 000010
【図９】
2018015732.tif 000011